(57)【要約】【課題】バリューの保有量を一定以上に確保することのできるバリュー管理装置およびバリュー移動システムを提供すること。【解決手段】金融機関の各口座に対して、所定日時における貯金額の下限額と優先度が設定された設定記憶部１０１、各口座の貯金額を記憶した預貯金記憶部１０３、電子マネーのダウンロード（ＤＬ）要求されると当該要求に応じた所定の処理を行う管理部１０５および送受信部１０７を有した金融機関の預貯金管理コンピュータ１００と、通信端末２００に記憶されている電子マネーに対して、所定日時における所有額の下限額と優先度が設定された設定記憶部２０１、電子マネーの残金を記憶した電子マネー記憶部２０３、電子マネーのＵＬ要求されると当該要求に応じた所定の処理を行う管理部２０５および送受信部２０７を有した通信端末２００とを備える。【選択図】　　図１
2004013497.tif 000002
【特許請求の範囲】
【請求項１】
経済価値または金銭価値があるバリューの保有状況を管理するバリュー管理手段と、
前記バリュー管理手段が管理しているバリューの下限が設定された設定記憶手段と、
前記バリュー管理手段が管理しているバリューの保有状況と前記設定記憶手段に設定されている下限とを比較して、前記バリューが当該下限に満たなければ不足分のバリュー移動の要求（以下「バリュー移動要求」という。）を行い、他からバリュー移動要求を受け取ると前記バリュー移動要求が要求するバリューを前記他に移動するバリュー移動要求管理手段と、
を備えたことを特徴とするバリュー管理装置。
【請求項２】
前記設定記憶手段には優先度が設定されており、
前記バリュー移動要求管理手段は、
バリュー移動要求を行う際、前記設定記憶手段に設定されている優先度を付けて前記バリュー移動要求を行い、
他からバリュー移動要求を受け取ると、前記バリュー移動要求の優先度と前記設定記憶手段に設定されている優先度とを比較して、前記バリュー移動要求の優先度の方が低ければ前記バリュー移動要求を拒否することを特徴とする請求項１記載のバリュー管理装置。
【請求項３】
前記設定記憶手段には、前記バリュー移動要求管理部が行う前記バリュー管理手段が管理しているバリューの保有状況と前記設定記憶手段に設定されている下限との比較を実行する日時が設定されていることを特徴とする請求項１または２記載のバリュー管理装置。
【請求項４】
経済価値または金銭価値があるバリューの保有状況を管理するバリュー管理手段と、
前記バリュー管理手段が管理しているバリューの上限が設定された設定記憶手段と、
前記バリュー管理手段が管理しているバリューの保有状況と前記設定記憶手段に設定されている上限とを比較して、前記バリューが当該上限を満たしていれば余剰分のバリュー移動の予告（以下「バリュー移動予告」という。）を行い、他からバリュー移動予告を受け取ると前記バリュー移動予告を許可するバリュー移動予告管理手段と、
を備えたことを特徴とするバリュー管理装置。
【請求項５】
前記設定記憶手段には優先度が設定されており、
前記バリュー移動要求管理手段は、
バリュー移動予告を行う際、前記設定記憶手段に設定されている優先度を付けて前記バリュー移動予告を行い、
他からバリュー移動予告を受け取ると、前記バリュー移動予告の優先度と前記設定記憶手段に設定されている優先度とを比較して、前記バリュー移動予告の優先度の方が低ければ前記バリュー移動予告を拒否することを特徴とする請求項４記載のバリュー管理装置。
【請求項６】
前記設定記憶手段には、前記バリュー移動要求管理部による前記バリュー管理手段が管理しているバリューの保有状況と前記設定記憶手段に設定されている上限との比較を実行する日時が設定されていることを特徴とする請求項４または５記載のバリュー管理装置。
【請求項７】
前記バリュー管理手段は、
ユーザによって設定された複数の項目ごとにバリューの保有状況を管理することを特徴とする請求項１、２、３、４、５または６記載のバリュー管理装置。
【請求項８】
前記バリューは、金融機関に設けられた口座の預貯金であることを特徴とする請求項１、２、３、４、５、６または７記載のバリュー管理装置。
【請求項９】
前記バリューは、電子化された金銭的価値のある電子マネーであることを特徴とする請求項１、２、３、４、５、６または７記載のバリュー管理装置。
【請求項１０】
金融機関に設けられた口座ごとに預貯金を管理する預貯金管理手段と、
前記預貯金管理手段が管理している預貯金の下限額が設定された第１の設定記憶手段と、
前記預貯金管理手段が管理している所定口座の預貯金と前記第１の設定記憶手段に設定されている下限額とを比較して、前記預貯金が当該下限額に満たなければ不足分の預貯金移動の要求（以下「預貯金移動要求」という。）を行う預貯金移動要求管理手段と、を有する第１のバリュー管理装置、および、
保有する電子バリューの現時点での残量を管理する電子バリュー管理手段と、
前記電子バリュー管理手段が管理している電子バリューの下限額が設定された第２の設定記憶手段と、
前記電子バリュー管理手段が管理している電子バリューと前記第２の設定記憶手段に設定されている下限額とを比較して、前記電子バリューが当該下限額に満たなければ不足分の電子バリュー移動の要求（以下「電子バリュー移動要求」という。）を行う電子バリュー移動要求管理手段と、を有する第２のバリュー管理装置を備え、
前記第１のバリュー管理装置の前記預貯金移動要求管理手段は、
前記第２のバリュー管理装置から電子バリュー移動要求を受け取ると前記電子バリュー移動要求が要求する電子バリューに相当する預金額を前記第２のバリュー管理装置に移動し、
前記第２のバリュー管理装置の前記電子バリュー移動要求管理手段は、
前記第１のバリュー管理装置から預貯金移動要求を受け取ると前記預貯金移動要求が要求する額に相当する電子バリューを前記第１のバリュー管理装置に移動することを特徴とするバリュー移動システム。
【発明の詳細な説明】
【０００１】
【発明の属する技術分野】
本発明は、バリューをダウンロード可能な口座の預貯金額を確保するために、当該預貯金額を割るようなバリューのダウンロード要求に対しては当該要求を拒否することのできるバリュー管理装置およびバリュー移動システムに関する。
【０００２】
【従来の技術】
電子マネーや電子チケット等の電子バリューを記憶可能な携帯電話等の移動端末を用いて、商品の購入や会場への入場を可能とする技術が現実のものになっている。当該技術を利用すれば、ユーザは移動端末から電子バリューを送信するだけで、例えば自動販売機でジュースを購入するといったことや、コンサート会場に入場するといったことが可能になる。ユーザがこのような技術を利用するためには電子バリューを予め移動端末に記憶させておく必要があるが、このためには銀行口座等の預貯金の一部を電子バリューとしてダウンロードする方法がある。
【０００３】
例えば、特開２００１−５９２０号公報には、電子財布または電子定期券の情報を有する非接触ＩＣカードを備えた携帯電話が、電子財布の残金がゼロまたは一定金額以下となったことを検知すると、電話回線を通じて銀行や郵便局など金融機関の顧客の預貯金データを管理しているコンピュータにアクセスして入金処理を行うシステムについて開示されている。
【０００４】
【発明が解決しようとする課題】
しかしながら、当該公報に記載のシステムでは、電子財布等の残金を監視しているだけであるため、金融機関から引き落とされる光熱費等の引き落とし前に入金（電子バリューとして金融機関等からダウンロード）しすぎて、前記引き落とし時に金融機関の口座にある残高が足りないといった状況が起こり得る。
【０００５】
本発明は、上記従来の事情に鑑みてなされたものであって、バリューの保有量を一定以上に確保することのできるバリュー管理装置およびバリュー移動システムを提供することを目的としている。
【０００６】
【課題を解決するための手段】
上記目的を達成するために、本発明に係るバリュー管理装置は、経済価値または金銭価値があるバリューの保有状況を管理するバリュー管理手段と、前記バリュー管理手段が管理しているバリューの下限が設定された設定記憶手段と、前記バリュー管理手段が管理しているバリューの保有状況と前記設定記憶手段に設定されている下限とを比較して、前記バリューが当該下限に満たなければ不足分のバリュー移動の要求（以下「バリュー移動要求」という。）を行い、他からバリュー移動要求を受け取ると前記バリュー移動要求が要求するバリューを前記他に移動するバリュー移動要求管理手段と、を備えている。したがって、バリューの保有量を一定以上に確保することができる。
【０００７】
また、本発明に係るバリュー管理装置は、前記設定記憶手段には優先度が設定されており、前記バリュー移動要求管理手段は、バリュー移動要求を行う際、前記設定記憶手段に設定されている優先度を付けて前記バリュー移動要求を行い、他からバリュー移動要求を受け取ると、前記バリュー移動要求の優先度と前記設定記憶手段に設定されている優先度とを比較して、前記バリュー移動要求の優先度の方が低ければ前記バリュー移動要求を拒否する。したがって、優先度に基づくユーザ独自の設定を行うことができる。
【０００８】
また、本発明に係るバリュー管理装置は、前記設定記憶手段には、前記バリュー移動要求管理部が行う前記バリュー管理手段が管理しているバリューの保有状況と前記設定記憶手段に設定されている下限との比較を実行する日時が設定されている。
【０００９】
また、本発明に係るバリュー管理装置は、経済価値または金銭価値があるバリューの保有状況を管理するバリュー管理手段と、前記バリュー管理手段が管理しているバリューの上限が設定された設定記憶手段と、前記バリュー管理手段が管理しているバリューの保有状況と前記設定記憶手段に設定されている上限とを比較して、前記バリューが当該上限を満たしていれば余剰分のバリュー移動の予告（以下「バリュー移動予告」という。）を行い、他からバリュー移動予告を受け取ると前記バリュー移動予告を許可するバリュー移動予告管理手段と、を備えている。したがって、余ったバリューを他のバリュー管理装置に移すことができる。
【００１０】
また、本発明に係るバリュー管理装置は、前記設定記憶手段には優先度が設定されており、前記バリュー移動要求管理手段は、バリュー移動予告を行う際、前記設定記憶手段に設定されている優先度を付けて前記バリュー移動予告を行い、他からバリュー移動予告を受け取ると、前記バリュー移動予告の優先度と前記設定記憶手段に設定されている優先度とを比較して、前記バリュー移動予告の優先度の方が低ければ前記バリュー移動予告を拒否する。したがって、優先度に基づくユーザ独自の設定を行うことができる。
【００１１】
また、本発明に係るバリュー管理装置は、前記設定記憶手段には、前記バリュー移動要求管理部による前記バリュー管理手段が管理しているバリューの保有状況と前記設定記憶手段に設定されている上限との比較を実行する日時が設定されている。
【００１２】
また、本発明に係るバリュー管理装置は、前記バリュー管理手段は、ユーザによって設定された複数の項目ごとにバリューの保有状況を管理する。
【００１３】
また、本発明に係るバリュー管理装置は、前記バリューは、金融機関に設けられた口座の預貯金である。
【００１４】
また、本発明に係るバリュー管理装置は、前記バリューは、電子化された金銭的価値のある電子マネーである。
【００１５】
さらに、本発明に係るバリュー移動システムは、金融機関に設けられた口座ごとに預貯金を管理する預貯金管理手段と、前記預貯金管理手段が管理している預貯金の下限額が設定された第１の設定記憶手段と、前記預貯金管理手段が管理している所定口座の預貯金と前記第１の設定記憶手段に設定されている下限額とを比較して、前記預貯金が当該下限額に満たなければ不足分の預貯金移動の要求（以下「預貯金移動要求」という。）を行う預貯金移動要求管理手段と、を有する第１のバリュー管理装置、および、保有する電子バリューの現時点での残量を管理する電子バリュー管理手段と、前記電子バリュー管理手段が管理している電子バリューの下限額が設定された第２の設定記憶手段と、前記電子バリュー管理手段が管理している電子バリューと前記第２の設定記憶手段に設定されている下限額とを比較して、前記電子バリューが当該下限額に満たなければ不足分の電子バリュー移動の要求（以下「電子バリュー移動要求」という。）を行う電子バリュー移動要求管理手段と、を有する第２のバリュー管理装置を備え、前記第１のバリュー管理装置の前記預貯金移動要求管理手段は、前記第２のバリュー管理装置から電子バリュー移動要求を受け取ると前記電子バリュー移動要求が要求する電子バリューに相当する預金額を前記第２のバリュー管理装置に移動し、前記第２のバリュー管理装置の前記電子バリュー移動要求管理手段は、前記第１のバリュー管理装置から預貯金移動要求を受け取ると前記預貯金移動要求が要求する額に相当する電子バリューを前記第１のバリュー管理装置に移動する。したがって、バリューの保有量を一定以上に確保することができ、金融機関から引き落とされる光熱費等の引き落とし前に電子バリューを移動しすぎて、前記引き落とし時に金融機関の口座の預貯金残高が足りないという状況が起こらない。
【００１６】
【発明の実施の形態】
以下、本発明に係るバリュー移動システムの実施の形態について、〔第１の実施形態〕、〔第２の実施形態〕の順に図面を参照して詳細に説明する。なお、「バリュー」とは、経済価値または金銭価値があるものであり、例えば、金融機関の預貯金や電子マネー、ポイント等をいう。特に、電子マネーや電子チケット、電子乗車券、電子化された金券を特に「電子バリュー」という。本実施形態では、金融機関の預貯金と電子マネーに適用した例について説明する。
【００１７】
〔第１の実施形態〕
図１は、本発明の第１の実施形態に係るバリュー移動システムを示すブロック図である。同図に示すように、第１の実施形態のバリュー移動システムは、銀行や郵便局など金融機関の顧客の預貯金データを管理している預貯金管理コンピュータ１００と、電子マネーを記憶および管理する携帯電話やＰＤＡ等の通信端末２００と、預貯金管理コンピュータ１００と通信端末２００との間のネットワーク（図示せず）とを備えて構成されている。預貯金管理コンピュータ１００は特許請求の範囲のバリュー管理装置または第１のバリュー管理装置に該当し、通信端末２００はバリュー管理装置または第２のバリュー管理装置に該当する。
【００１８】
なお、本明細書では、便宜的に、金融機関の預貯金管理コンピュータ１００から通信端末２００への電子マネーの移動を「ダウンロード（ＤＬ）」といい、通信端末２００から預貯金管理コンピュータ１００への電子マネーの移動を「アップロード（ＵＬ）」という。
【００１９】
以下、本実施形態のバリュー移動システムが有する各構成要素について説明する。
まず、金融機関の預貯金管理コンピュータ１００について説明する。預貯金管理コンピュータ１００は、図１に示すように、特許請求の範囲の設定記憶手段または第１の設定記憶手段に該当する設定記憶部１０１、バリュー管理手段または預貯金管理手段に該当する預貯金記憶部１０３、バリュー移動要求管理手段または預貯金移動要求管理手段に該当する管理部１０５、および送受信部１０７を有している。
【００２０】
設定記憶部１０１は、金融機関の各所定口座に対して、所定日時における預貯金額の下限（下限額）と優先度とが設定されたものである。例えば、図１に示した例では、口座「１０００（銀行番号）−００２（店番号）−１２３４５６７（口座番号）」に対して、毎月２５日の預貯金が最低でも１０万円なければならないという設定が最も高い優先度Ａで規定されており、かつ、口座「１０００−２００−７６５４３２１」に対して、毎月１５日の預貯金が最低でも５万円なければならないという設定が優先度Ｃで規定されている。
【００２１】
また、預貯金記憶部１０３は、金融機関に設けられた各口座の現時点での預貯金額（残金）を記憶したものである。また、管理部１０５は、通信端末２００から電子マネーのダウンロード要求（ＤＬ要求）がなされると当該要求に応じた所定の処理を行うものであり、かつ、設定記憶部１０１に設定された情報に基づいて、預貯金管理コンピュータ１００から通信端末２００に対しアップロード要求（ＵＬ要求）を行うものである。管理部１０５は、設定記憶部１０１に記憶されている下限額と現在の預貯金額とを比較して預貯金が下限額に満たなければ、優先度を付けて不足分のＵＬ要求を行う。
【００２２】
また、管理部１０５は優先順序判断部１５１を有している。優先順序判断部１５１は、通信端末２００から電子マネーのＤＬ要求が行われた際、当該要求の優先度と設定記憶部１０１に設定されている優先度とを比較して、このＤＬ要求を許可するか拒否するかを判断するものである。優先順序判断部１５１によってＤＬ要求が許可されると、管理部１０５は当該ＤＬ要求に応じた所定の処理、すなわち、要求額の電子マネーを通信端末２００にダウンロードするための処理を行う。
【００２３】
また、送受信部１０７は、ネットワーク（図示せず）を介して通信端末２００からのダウンロード要求を受信したり、通信端末２００にアップロード要求を送信するものである。この他にも電子マネーの送受信や、通信端末２００からのダウンロード要求に対する拒否信号の送信も行う。
【００２４】
次に、通信端末２００について説明する。通信端末２００は、図１に示すように、特許請求の範囲の設定記憶手段または第２の設定記憶手段に該当する設定記憶部２０１、バリュー管理手段または電子バリュー管理手段に該当する電子マネー記憶部２０３、バリュー移動予告管理手段または電子バリュー移動予告管理手段に該当する管理部２０５、および送受信部２０７を有している。
【００２５】
設定記憶部２０１は、通信端末２００に記憶されている電子マネーに対して、所定日時における所有額の下限（下限額）と優先度とが設定されたものである。例えば、図１に示した例では、毎月２５日の電子マネーの残高が最低でも１０万円なければならないという設定が優先度Ｃで規定されている。また、電子マネー記憶部２０３は、通信端末２００に記憶されている電子マネーの現時点での金額（残金）を記憶したものである。
【００２６】
また、管理部２０５は、金融機関の預貯金管理コンピュータ１００から電子マネーのアップロード要求（ＵＬ要求）がなされると当該要求に応じた所定の処理を行うものであり、かつ、設定記憶部２０１に設定された情報に基づいて、通信端末２００から預貯金管理コンピュータ１００に対しダウンロード要求（ＤＬ要求）を行うものである。管理部２０５は、設定記憶部２０１に記憶されている下限額と電子マネー記憶部２０７に記憶されている電子バリューとを比較して電子バリューが下限額に満たなければ、優先度を付けて不足分のＵＬ要求を行う。
【００２７】
また、管理部２０５は優先順序判断部２５１を有している。優先順序判断部２５１は、金融機関の預貯金管理コンピュータ１００から電子マネーのＵＬ要求が行われた際、当該要求の優先度と設定記憶部２０１に設定されている優先度とを比較して、このＵＬ要求を許可するか拒否するかを判断するものである。優先順序判断部２５１によってＵＬ要求が許可されると、管理部２０５は当該ＵＬ要求に応じた所定の処理、すなわち、要求額の電子マネーを預貯金管理コンピュータ１００にアップロードするための処理を行う。
【００２８】
また、送受信部２０７は、ネットワーク（図示せず）を介して預貯金管理コンピュータ１００からのアップロード要求を受信したり、預貯金管理コンピュータ１００にダウンロード要求を送信するものである。この他にも電子マネーの送受信や、預貯金管理コンピュータ１００に対して行ったダウンロード要求に対する拒否信号の受信も行う。
【００２９】
以下、本実施形態のバリュー移動システムを用いた預貯金または電子マネーの移動に関する具体例について、図１を参照して説明する。
【００３０】
まず、金融機関の口座に預貯金が不足している場合について説明する。
金融機関の預貯金管理コンピュータ１００は、毎月２５日になると口座「１０００−００２−１２３４５６７」と「１０００−２００−７６５４３２１」の各預預貯金がそれぞれ設定記憶部１０１に設定されている下限額を満たしているかを調べる。図１に示した例では、口座１２３４５６７の下限額は１０万円であるのに対し預貯金額は３万円であるため、当該条件（下限額）を満たさない。一方、口座７６５４３２１の下限額は５万円であるのに対し預貯金額は６万円であるため、当該条件（下限額）を満たす。
【００３１】
したがって、預貯金管理コンピュータ１００は、口座１２３４５６７の不足分７万円を補充するため、通信端末２００に対して７万円を送れというアップロード要求「ＵＬ要求（￥７０，０００送れ）」を最も高い優先度Ａで行う。通信端末２００には、同日２５日に最低１０万円の電子マネーを有していなければならないという設定があるが、当該設定の優先度は優先度Ａよりも低い優先度Ｃであるため、通信端末２００は、優先度Ａの上記ＵＬ要求に従って７万円の電子マネーを預貯金管理コンピュータ１００に送る。
【００３２】
次に、通信端末２００の電子マネーが不足している場合について説明する。
通信端末２００は、毎月２５日になると電子マネーの残高が設定記憶部２０１に設定されている下限額を満たしているかを調べる。図１に示した例では、下限額は１０万円であるのに対し残高は８万円であるため、当該条件（下限額）を満たさない。したがって、通信端末２００は、不足分２万円を補充するため、金融機関の預貯金管理コンピュータ１００に対して２万円を送れというダウンロード要求「ＤＬ要求（￥９０，０００送れ）」を優先度Ｃで行う。
【００３３】
預貯金管理コンピュータ１００には、口座１２３４５６７は同日２５日に最低１０万円の預貯金がなければならないという設定が優先度Ａで規定されており、口座７６５４３２１は毎月１５日に最低５万円の預貯金がなければならないという設定が優先度Ｂで規定されているが、いずれにしても優先度Ｃよりも優先度が高いため、預貯金管理コンピュータ１００の優先順序判断部１５１は当該ＤＬ要求を拒否する。したがって、預貯金管理コンピュータ１００は通信端末２００に拒否信号を送る。
【００３４】
以上説明したように、本実施形態のバリュー移動システムでは、電子マネーをダウンロード可能な口座の預貯金額を一定以上に確保することができる。したがって、金融機関から引き落とされる光熱費等の引き落とし前に電子マネーをダウンロードしすぎて、前記引き落とし時に金融機関の口座の残高が足りないといった状況が起こらない。また、このような電子マネーの移動に際しては、優先度を鑑みて優先度の低いＵＬ要求またはＤＬ要求に対しては拒否することができるため、ユーザ独自の設定を行うことができる。
【００３５】
〔第２の実施形態〕
図２は、本発明の第２の実施形態に係るバリュー移動システムを示すブロック図である。同図に示すように、第２の実施形態のバリュー移動システムは、第１の実施形態のバリュー移動システムと同様に、金融機関の預貯金管理コンピュータ１００と、通信端末２００と、ネットワーク（図示せず）とを備えて構成されており、預貯金管理コンピュータ１００は設定記憶部１０１、預貯金記憶部１０３、管理部１０５および送受信部１０７を有し、通信端末２００は設定記憶部２０１、電子マネー記憶部２０３、管理部２０５および送受信部２０７を有している。
【００３６】
本実施形態において、預貯金管理コンピュータ１００の設定記憶部１０１には、口座「１０００−００２−１２３４５６７」に対して、毎月２５日の時点で預貯金が４０万円を越す場合、その余剰分を通信端末２００に送るという設定（上限額）が最も高い優先度Ａで規定されており、口座「１０００−２００−７６５４３２１」に対する下限額または上限額に関する設定は規定されていない。また、通信端末２００の設定記憶部２０１には、毎月２５日の電子マネーの残高が２０万円を越す場合、その余剰分を金融機関の預貯金管理コンピュータ１００に送るという設定が優先度Ｃで規定されている。
【００３７】
以下、本実施形態のバリュー移動システムを用いたバリューの移動に関する具体例について、図２を参照して説明する。
【００３８】
まず、金融機関の口座の預貯金が余っている場合について説明する。
金融機関の預貯金管理コンピュータ１００は、毎月２５日になると口座「１０００−００２−１２３４５６７」の預預貯金が設定記憶部１０１に設定されている上限額を満たしているか、すなわち上限額を超えているかを調べる。図２に示した例では、口座１２３４５６７の上限額は４０万円であるのに対し預貯金額は５０万円であるため、当該条件（上限額）を満たす。したがって、預貯金管理コンピュータ１００は、口座１２３４５６７の余剰分１０万円をダウンロードするため、通信端末２００に対して１０万円を送るというダウンロード予告「ＤＬ予告（￥１００，０００送る）」を最も高い優先度Ａで行う。
【００３９】
通信端末２００には、同日２５日に２０万円を越す電子マネーを有していれば、その余剰分を預貯金管理コンピュータ１００に送るという設定はあるが、当該設定の優先度は優先度Ａよりも低い優先度Ｃであるため、通信端末２００は、優先度Ａの上記ＤＬ予告に応じてＤＬ許可信号（ＯＫ）を預貯金管理コンピュータ１００に送る。したがって、預貯金管理コンピュータ１００は、口座１２３４５６７の余剰分１０万円を通信端末２００に送る。
【００４０】
まず、通信端末２００の電子マネーが余っている場合について説明する。
通信端末２００は、毎月２５日になると電子マネーの残高が設定記憶部２０１に設定されている上限額を満たしているかを調べる。図２に示した例では、上限額は１０万円であるのに対し残高は３１万円であるため、当該条件（上限額）を満たす。したがって、通信端末２００は、余剰分１１万円をアップロードするため、金融機関の預貯金管理コンピュータ１００に対して１１万円を送るというアップロード予告「ＵＬ要求（￥１１０，０００送る）」を優先度Ｃで行う。
【００４１】
預貯金管理コンピュータ１００には、口座１２３４５６７は同日２５日に預貯金が４０万円を越す場合、その余剰分を通信端末２００に送るという設定（上限額）があるが、当該設定の優先度は優先度Ａよりも低い優先度Ｃであるため、預貯金管理コンピュータ１００の優先順序判断部１５１は当該ＵＬ予告を拒否する。したがって、預貯金管理コンピュータ１００は通信端末２００に拒否信号を送る。
【００４２】
以上説明したように、本実施形態のバリュー移動システムでは、金融機関の口座に余剰がある場合は、余剰分を通信端末２００に移すことができ、同様に、通信端末２００が有する電子マネーに余剰がある場合は、余剰分の電子マネーを金融機関の口座に移すことができる。また、このような電子マネーの移動に際しては、優先度を鑑みて優先度の低いＤＬ予告またはＵＬ予告に対しては拒否することができるため、ユーザ独自の設定を行うことができる。
【００４３】
なお、以上説明した第１および第２の実施形態のバリュー移動システムにおいて、図３に示すように、通信端末２００の電子マネー記憶部２０３がおこづかいや家賃、食費、貯金箱、残高等といった各フォルダごとに電子マネーを記憶しており、かつ、設定記憶部２０１が日時や下限額または上限額、優先度の他にも電子マネー記憶部２０３に設定されている１のフォルダを指定している場合、通信端末２００の管理部２０５は、上記説明したＵＬ要求やＤＬ予告に対しては、電子マネー記憶部２０３に記憶されている電子マネー全部を対象とするのではなく、電子マネー記憶部２０３に設定されている各フォルダに記憶されている電子マネーを対象とすることができる。
【００４４】
【発明の効果】
以上説明したように、本発明に係るバリュー管理装置およびバリュー移動システムによれば、バリューの保有量を一定以上に確保することができる。また優先度を鑑みて、優先度の低いバリュー移動要求またはバリュー移動予告に対しては拒否することができる。
【図面の簡単な説明】
【図１】本発明の第１の実施形態に係るバリュー移動システムを示すブロック図
【図２】本発明の第２の実施形態に係るバリュー移動システムを示すブロック図
【図３】本発明の他の実施形態に係るバリュー移動システムの通信端末を示すブロック図
【符号の説明】
１００　預貯金管理コンピュータ
１０１，２０１　設定記憶部
１０３　預貯金記憶部
１０５，２０５　管理部
１０７，２０７　送受信部
１５１，２５１　優先順序判断部
２００　通信端末
２０３　電子マネー記憶部
【図１】
2004013497.tif 000003
【図２】
2004013497.tif 000004
【図３】
2004013497.tif 000005